(57)【要約】      （修正有）【課題】タービン排気ディフューザ用の流れ操作装置を提供する。【解決手段】流れ操作装置５０は、前縁４４及び後縁４６を持ち且つタービン排気ディフューザ２６内に配置された支柱４２を含む。また、前記支柱に近接近して配置され且つ排気流を操作するように構成された複数の回転可能な案内羽根５２が含まれ、該複数の回転可能な案内羽根は、互いに対して同軸に整列し且つ円周方向に配列される。更に、前記複数の回転可能な案内羽根と動作可能に連絡していて、前記複数の回転可能な案内羽根を作動調節するように構成されたアクチュエータが含まれる。また更に、前記複数の回転可能な案内羽根を動作可能に結合する円周方向リングが含まれ、そこで、前記アクチュエータは前記複数の回転可能な案内羽根の内の１つを直接に回転作動するように構成され、また前記円周方向リングは前記アクチュエータによる回転作動時に前記複数の回転可能な案内羽根を回転作動する。【選択図】図２
2014211159.tif 000002
【特許請求の範囲】
【請求項１】
前縁及び後縁を持ち且つタービン排気ディフューザ内に配置された支柱と、
前記支柱に近接近して配置され且つ排気流を操作するように構成された複数の回転可能な案内羽根であって、互いに対して同軸に整列し且つ円周方向に配列された複数の回転可能な案内羽根と、
前記複数の回転可能な案内羽根と動作可能に連絡していて、前記複数の回転可能な案内羽根を作動調節するように構成されたアクチュエータと、
前記複数の回転可能な案内羽根を動作可能に結合する円周方向リングと、
を有するタービン排気ディフューザ用の流れ操作装置であって、
前記アクチュエータが前記複数の回転可能な案内羽根の内の１つを直接に回転作動するように構成され、また前記円周方向リングが前記アクチュエータによる回転の作動時に前記複数の回転可能な案内羽根を回転作動すること、
を特徴とするタービン排気ディフューザ用の流れ操作装置。
【請求項２】
前記タービン排気ディフューザは、軸流ディフューザであって、前記タービン排気ディフューザの長手方向に延在する内胴と、前記内胴の半径方向外側に配置された外壁とを有しており、
前記支柱が前記内胴と前記外壁との間に延在して、それらに動作可能に結合されており、また前記複数の回転可能な案内羽根が前記内胴及び前記外壁の内の少なくとも一方に動作可能に結合されている、請求項１記載の流れ操作装置。
【請求項３】
前記流れ操作装置は更に、前記アクチュエータに動作可能に結合され且つ前記複数の回転可能な案内羽根の各々を通って延在する回転可能な部材を有し、前記複数の回転可能な案内羽根が前記回転可能な部材によって規定された軸を中心にして回転可能である、請求項２記載の流れ操作装置。
【請求項４】
前記流れ操作装置は更に、同軸に整列し且つ円周方向に配列された複数の支柱を有し、前記複数の回転可能な案内羽根が前記複数の支柱よりも軸方向上流の位置及び軸方向下流の位置の内の少なくとも一方に配置されている、請求項２記載の流れ操作装置。
【請求項５】
前記円周方向リングは、スロット構造内で前記円周方向リングの摺動を容易にするように構成された複数の軸受に動作可能に結合されている、請求項１記載の流れ操作装置。
【請求項６】
前記複数の回転可能な案内羽根は、前記支柱に円周方向に隣接し且つ軸方向に前記支柱と整列している、請求項２記載の流れ操作装置。
【請求項７】
前記複数の回転可能な案内羽根は、所与の範囲の排気流の状態に対応する所与の範囲の角度位置にわたって回転可能である、請求項１記載の流れ操作装置。
【請求項８】
前記所与の範囲の角度位置は、第１の状態に対応する第１の位置及び第２の状態に対応する第２の位置を有し、前記第１の状態は全速全負荷状態を有し、また前記第２の状態は部分負荷状態を有する、請求項７記載の流れ操作装置。
【請求項９】
更に、前記アクチュエータからの機械的動力を前記回転可能な部材へ伝達するように構成された歯車装置を有している請求項３記載の流れ操作装置。
【請求項１０】
前記タービン排気ディフューザは、内壁及び外壁を有する半径流ディフューザであり、前記支柱が前記内壁及び前記外壁の内の少なくとも一方に動作可能に結合されている、請求項１記載の流れ操作装置。
【請求項１１】
前記複数の回転可能な案内羽根は前記支柱に動作可能に結合されている、請求項１０記載の流れ操作装置。
【請求項１２】
前記複数の回転可能な案内羽根は、所与の範囲の排気流の状態に対応する所与の範囲の角度位置にわたって回転可能である、請求項１０記載の流れ操作装置。
【請求項１３】
更に、前記複数の回転可能な案内羽根と前記外壁との間に配置された外側封止装置と、  前記複数の回転可能な案内羽根と前記内胴との間に配置された内側封止装置と、
を有している請求項２記載の流れ操作装置。
【請求項１４】
前記複数の回転可能な案内羽根は半径方向に移動可能である、請求項２記載の流れ操作装置。
【請求項１５】
タービン排気ディフューザの長手方向に延在する内胴と、
前記内胴の半径方向外側に配置された外壁と、
前記内胴と前記外壁との間に延在し且つそれらに動作可能に結合された支柱であって、前縁及び後縁を持つ支柱と、
前記支柱の前記前縁よりも軸方向上流に配置された少なくとも１つの案内羽根であって、前記支柱に対して選択的に円周方向に変位可能である少なくとも１つの案内羽根と、
を有する、タービン排気ディフューザ用の流れ操作装置。
【請求項１６】
更に、前記少なくとも１つの案内羽根と動作可能に連絡していて、前記少なくとも１つの案内羽根を作動調節するように構成されたモータを有している請求項１５記載の流れ操作装置。
【請求項１７】
前記流れ操作装置は更に、同軸に整列し且つ円周方向に配列された複数の支柱を有しており、また前記少なくとも１つの案内羽根が、同軸に整列し且つ円周方向に配列された複数の案内羽根を有している、請求項１５記載の流れ操作装置。
【請求項１８】
前記複数の案内羽根は、排気流の第１の状態の際に第１の位置で前記複数の支柱と円周方向に整列し、また前記排気流の第２の状態の際に少なくとも１つの追加の位置へ変位可能である、請求項１７記載の流れ操作装置。
【請求項１９】
前記流れ操作装置は更に、同軸に整列し且つ円周方向に配列された複数の支柱を有しており、前記少なくとも１つの案内羽根が、同軸に整列し且つ前記複数の支柱よりも軸方向下流の位置で円周方向に配列された複数の案内羽根を有している、請求項１５記載の流れ操作装置。
【請求項２０】
内壁と、
外壁と、
前記内壁及び前記外壁の内の少なくとも１つに動作可能に結合された支柱と、
前記支柱に近接して配置された少なくとも１つの回転可能な案内羽根であって、所与の範囲の角度位置にわたって選択的に回転可能であり且つ軸方向及び半径方向の内の少なくとも１つの方向に変位可能である少なくとも１つの回転可能な案内羽根と、
を有する、半径流タービン排気ディフューザ用の流れ操作装置。
【発明の詳細な説明】
【技術分野】
【０００１】
本書に開示の内容は、タービン・システムに関し、より詳しく云えば、複数のタービン排気ディフューザ構成部品の境界層流制御に関するものである。
【背景技術】
【０００２】
典型的なタービン・システム（例えば、ガスタービン・システムなど）は、タービン・システムのタービン部分の最終段動翼の効率を増大させるために該タービン部分に結合された排気ディフューザを含む。排気ディフューザは、流れの運動エネルギを急速に減少させて、排気ディフューザ内の静圧回復を増大させるように幾何学的に構成される。
【０００３】
通常、排気ディフューザは全負荷運転のために設計されているが、しかしながら、タービン・システムはしばしば部分的負荷で又は低温の日に運転される。従って、全負荷設計に基いているので、部分的負荷の性能効率が損なわれる。この不効率は、少なくとも部分的に、（例えば、壁及び支柱のような）様々な排気ディフューザ構成部品での流れの剥離に起因する。流れの剥離は、部分的に、タービン部分の最終動翼段の出口及び排気ディフューザへの入口での流れの旋回（渦）によって引き起こされる。旋回の大きさは「接線方向流れ角度(tangenntial flow angle)」で定量化することができ、このような角度は部分負荷の際は最大で約６０度になることがあり、また低温の日では２０度になることがあり、これは（例えば、支柱のような）排気ディフューザ構成部品に対してより高いアタック角度を生じさせる。このような流れ特性は境界層の成長及び流れの剥離を引き起こし、ひいては低減した圧力回復を招く。
【先行技術文献】
【特許文献】
【０００４】
【特許文献１】米国特許第７７３０７１４号明細書
【発明の概要】
【０００５】
本発明の一面によれば、タービン排気ディフューザ用の流れ操作装置が提供され、該流れ操作装置は、前縁及び後縁を持ち且つタービン排気ディフューザ内に配置された支柱を含む。また、前記支柱に近接近して配置され且つ排気流を操作するように構成された複数の回転可能な案内羽根が含まれ、前記複数の回転可能な案内羽根は、互いに対して同軸に整列し且つ円周方向に配列される。更に、前記複数の回転可能な案内羽根と動作可能に連絡していて、前記複数の回転可能な案内羽根を作動調節するように構成されたアクチュエータが含まれる。また更に、前記複数の回転可能な案内羽根を動作可能に結合する円周方向リングが含まれ、そこで、前記アクチュエータは前記複数の回転可能な案内羽根の内の１つを直接に回転作動するように構成され、また前記円周方向リングは前記アクチュエータによる回転作動時に前記複数の回転可能な案内羽根を回転作動する。
【０００６】
本発明の別の面によれば、タービン排気ディフューザ用の流れ操作装置が提供され、該流れ操作装置は、前記タービン排気ディフューザの長手方向に延在する内胴を含む。また、前記内胴の半径方向外側に配置された外壁が含まれる。更に、前記内胴と前記外壁との間に延在し且つそれらに動作可能に結合された支柱が含まれ、該支柱は前縁及び後縁を持つ。また更に、前記支柱の前記前縁の軸方向上流に又は前記後縁の軸方向下流に配置された少なくとも１つの案内羽根が含まれ、該少なくとも１つの案内羽根は前記支柱に対して選択的に円周方向に変位可能である。
【０００７】
本発明の更に別の面によれば、半径流タービン排気ディフューザ用の流れ操作装置が提供され、該流れ操作装置は内壁を含む。また、外壁が含まれる。更に、前記内壁及び前記外壁の内の少なくとも１つに動作可能に結合された支柱が含まれる。また更に、前記支柱に近接して配置された少なくとも１つの回転可能な案内羽根が含まれ、該少なくとも１つの回転可能な案内羽根は所与の範囲の角度位置にわたって選択的に回転可能であり且つ軸方向及び半径方向の内の少なくとも１つの方向に変位可能である。
【０００８】
これらの及び他の利点及び特徴は、図面を参照した以下の説明からより一層明らかになろう。
【０００９】
発明と見なされる内容は「特許請求の範囲」に具体的に指摘して明瞭に記載している。本発明の前述の及び他の特徴及び利点は、添付の図面を参照した以下の説明から明らかである。
【図面の簡単な説明】
【００１０】
【図１】図１は、タービン・システムの概略図である。
【図２】図２は、第１の実施形態に従った流れ操作装置の斜視図である。
【図３】図３は、図２の流れ操作装置の概略側面図である。
【図４】図４は、図２の流れ操作装置の複数の案内羽根及び複数の支柱の上面図である。
【図５】図５は、動作可能に結合された複数の案内羽根の上面図である。
【図６】図６は、動作可能に結合された複数の案内羽根の概略斜視図である。
【図７】図７は、第２の実施形態に従った流れ操作装置の斜視図である。
【図８】図８は、図７の流れ操作装置の正面図である。
【図９】図９は、図７の流れ操作装置の上面図である。
【図１０】図１０は、第３の実施形態に従った流れ操作装置の上面図であって、第１の位置にある複数の案内羽根を例示する。
【図１１】図１１は、図１０の流れ操作装置の上面図であって、第２の位置にある複数の案内羽根を例示する。
【図１２】図１２は、図１０の流れ操作装置の制御機構の概略図である。
【図１３】図１３は、第４の実施形態に従った流れ操作装置の概略図である。
【発明を実施するための形態】
【００１１】
以下に、図面を参照して、例として本発明の様々な実施形態を、利点及び特徴と共に説明する。
【００１２】
図１ついて説明すると、例えばガスタービンのようなタービン・システムが参照数字１０で表されている。タービン・システム１０は、圧縮機部分１２、燃焼器部分１４、タービン部分１６、シャフト１８及び燃料ノズル２０を含む。タービン・システム１０の一実施形態は、複数の圧縮機１２、複数の燃焼器１４、複数のタービン１６、複数のシャフト１８及び複数の燃料ノズル２０を含むことができることを理解されたい。圧縮機部分１２及びタービン部分１６はシャフト１８によって結合される。シャフト１８は、単一のシャフト、又はシャフト１８を形成するように一緒に結合された複数のシャフト・セグメントとすることができる。
【００１３】
燃焼器部分１４は、タービン・システム１０を運転するために、天然ガス又は水素豊富な合成ガスのような可燃性の液体及び／又は気体燃料を使用する。例えば、複数の燃料ノズル２０が、空気供給装置及び燃料供給装置２２と流体連通する。燃料ノズル２０は空気・燃料混合物を生成して、空気・燃料混合物を燃焼器部分１４内へ放出し、これによって燃焼により高圧の排出ガスを生成する。燃焼器部分１４は、高温の加圧されたガスを、燃焼器尾筒を通ってタービン・ノズル（又は「第１段ノズル」）へ、次いで他の段の動翼及びノズルへ差し向けて、タービン部分１６の外側ケーシング２４内のタービン動翼を回転させる。その後、高温の加圧されたガスはタービン部分１６から排気ディフューザ２６へ送られる。排気ディフューザ２６は、例えば、外側ケーシング２４のようなタービン部分の一部分に動作可能に結合される。
【００１４】
これまでガスタービン・システムとして例示し説明したが、タービン・システム１０はその代わりに蒸気タービン・システムであってよいことを理解されたい。以下に説明するように、排気ディフューザ２６として、軸流排気ディフューザ及び半径流排気ディフューザのような様々な実施形態が考えられる。
【００１５】
次に、図２及び図３について説明すると、第１の実施形態の流れ操作装置５０が排気ディフューザ２６の中に例示されている。例示の実施形態では、排気ディフューザ２６は、タービン部分１６の最後の段より軸方向下流に配置された軸流排気ディフューザである。排気ディフューザ２６は、タービン部分１６からの排気流３０を受け取るように構成された入口２８を含む。出口３２が、入口２８に対して下流の位置に配置される。内胴３４が、入口２８と出口３２との間に少なくとも部分的に排気ディフューザ２６の長手方向に沿って比較的軸方向に延在し、また内胴３４は外面３６を含む。内面４０を持つ外壁３８が、内胴３４から半径方向外側に、より具体的には、外面３６から半径方向外側に隔たって設けられる。外壁３８は、排気流３０の運動エネルギが排気ディフューザ２６の入口２８に入った後に減じられるように、比較的末広の形状に構成することができる。より詳しく述べると、外壁３８の末広の形状に起因して、排気ディフューザ２６内で動圧から静圧への変換が生じる。排気流３０は、内胴３４の外面３６と外壁３８の内面４０とによって画成された領域を通って流れる。
【００１６】
また、内胴３４の外面３６と外壁３８の内面４０との間には、少なくとも１つの、典型的には複数の支柱４２が配置され、模範的な実施形態では、４〜１２個の数の支柱が同軸に整列して互いから円周方向に隔てて配置される。複数の支柱４２は、内胴３４及び外壁３８を互いに対して固定の関係に保持すると共に、支承支持するように作用する。支柱４２が内胴３４と外壁３８との間の領域内に配置されているので、排気流３０が支柱４２を横切る。その結果、支柱４２は排気流３０の流れ特性に影響を及ぼし、従って排気ディフューザ全体の性能に影響を及ぼす。複数の支柱４２は、翼形部として形成され又は翼形部によって取り囲まれる。また、複数の支柱４２の精密な幾何学的形状及び寸法は、用途に基づいて図示のものから変え得ることを理解されたい。複数の支柱４２の各々は前縁４４及び後縁４６を含む。
【００１７】
排気流３０がタービン部分１６を出るとき、排気流３０の最終段動翼出口の接線方向流れ角度（図４）が、排気ディフューザ２６の外壁３８の末広の形状及び様々な運転状態に基づいて増大し、これによって、内胴３４の外面３６に近接した領域、並びに複数の支柱４２の様々な外面に近接した領域において、流れの剥離を引き起こす。上述の流れの剥離を低減するため、排気流３０は、以下に述べるように、流れ操作装置５０によって操作される。
【００１８】
図２及び図３に関連して、図４及び図５について説明すると、流れ操作装置５０は、少なくとも１つの、典型的には複数の回転可能な案内羽根５２を有し、これらは互いから円周方向に隔たっていて且つ同軸に整列する。前に述べたように、複数の支柱４２は、それらが同軸に整列するように、所与の軸方向位置に配置される。複数の回転可能な案内羽根５２は、複数の支柱４２に近接して且つ複数の支柱４２よりも軸方向上流の位置に配置される。複数の回転可能な案内羽根５２は翼形の形状を有し、且つ支持のために内胴３４及び／又は外壁３８に動作可能に結合される。１つ以上の封止部品４１が、複数の回転可能な案内羽根５２と内胴３４及び／又は外壁３８との間に配置されて、それらの間の界面を封止することができる。複数の回転可能な案内羽根５２の各々は、それに動作可能に結合されたスピンドル又は棒のような回転可能な部材５４を含む。一実施形態では、回転可能な部材５４は、複数の回転可能な案内羽根５２の一部分を通って半径方向に延在する。回転可能な部材５４はまた、該回転可能な部材５４を回転作動するように構成されたアクチュエータ組立体５６（図３）に動作可能に結合される。詳しく述べると、アクチュエータ組立体５６は、例えばアクチュエータ組立体５６自身の出力シャフト又は歯車などを介して、回転可能な部材５４に直接結合することができ、或いは、全体を参照数字５８で表した歯車装置及び／又はケーブル装置を介して、回転可能な部材５４に間接的に結合することができる。アクチュエータ組立体５６は、サーボモータを含む様々なモータを表す。この代わりに、空気圧式アクチュエータにより回転可能な部材５４を調節作動することができる。一実施形態では、回転可能な部材５４は、内胴３４及び／又は外壁３８に取り付けられたブッシング又は軸受により、内胴３４及び／又は外壁３８に結合される。
【００１９】
複数の回転可能な案内羽根５２は、回転可能な部材５４によって定められる軸を中心にして、所与の範囲の角度位置にわたって回転可能である。この角度位置範囲は、複数の回転可能な案内羽根５２の多数の位置を有利に提供し、これによって排気流３０の様々な流れ角度に対処する。具体的に述べると、複数の支柱４２は、ベース負荷又は全速全負荷運転状態のような或る特定の運転状態において排気ディフューザ２６内の排気流３０の流れ特性を効率良くする方向に整列させる。しかしながら、排気流３０の流れ角度は、例えば、部分負荷運転状態のような他の運転状態で異なる。別の運転状態では、境界層形成の増大に起因して効率が低下する。複数の回転可能な案内羽根５２を適切な流れ操作位置に対応する位置へ回転させることによって、排気流３０は「整流(straightening) 」と呼ばれる態様で操作され、その結果、複数の支柱４２を横切るときに望ましい流れ角度の排気流３０を生じる。
【００２０】
一実施形態では、図５及び図６を参照して説明すると、回転可能な案内羽根群の円周方向セグメント６０が、「連動した」関係に配列された複数の動作可能に結合された回転可能な案内羽根を有する。この回転可能な案内羽根群の円周方向セグメント６０は、円周方向リング６２によって動作可能に結合された２つ以上の案内羽根を有する。回転可能な案内羽根群の円周方向セグメント６０は、複数の案内羽根の内の任意の数の案内羽根で形成することができると考えられる。連動した構成により、アクチュエータ組立体５６並びに歯車装置及び／又はケーブル装置５８は単一の回転可能な部材を直接に回転させると共に、円周方向リング６２を介して、回転可能な案内羽根群の円周方向セグメント６０内の追加の案内羽根を間接的に回転させることができる。円周方向リング６２は追加の回転可能な部材と共にラック・ピニオン装置を形成して、該円周方向リング６２と各案内羽根の追加の回転可能な部材との間にあるの歯車装置を介して追加の案内羽根の回転を容易にする。この代わりに、又はラック・ピニオン装置と組み合わせて、円周方向リング６２は、スロット構造６５内での円周方向リング６２の摺動を容易にする１つ以上の軸受６３（図６）に動作可能に結合して、これによって、それぞれの回転可能な案内羽根の回転可能な部材５４を中心にした各々の回転可能な案内羽根の回転運動を駆動することができる。
【００２１】
前に述べたように、複数の回転可能な案内羽根５２は所与の範囲の角度位置にわたって回転可能である。角度位置の範囲はタービン・システム１０の運転状態の範囲に対応し、より具体的に述べると、排気流３０の接線方向流れの角度範囲に対応する。例えば、第１の位置は第１の状態に対応し、また第２の位置は第２の状態に対応する。複数の回転可能な案内羽根５２の第１の位置は、タービン・システム１０の全速全負荷運転状態に対応する第１の状態で、複数の支柱４２に比較的平行である。例えば、タービン・システム１０の速度が部分負荷状態、例えば６０％の速度に低減されたとき、複数の回転可能な案内羽根５２は、複数の支柱４２を横切る流れを整流するために排気流３０について所望の操作を行う角度へ回転される。
【００２２】
次に、図７〜図９について説明すると、第２の実施形態による流れ操作装置１００が例示されている。第２の実施形態は上述の第１の実施形態と多くの点で類似しており、このため、各構成部品の重複した説明は必要ではなく、また同様な参照数字を適用可能な場合は用いる。更に、第２の実施形態は、上述の排気ディフューザ２６のような軸流排気ディフューザに関連して用いられる。第２の実施形態では、複数の回転可能な案内羽根５２が複数の支柱４２に円周方向に隣接して配置され、且つ複数の支柱４２と同軸に整列する。図示のように、複数の回転可能な案内羽根５２の少なくとも一部分は、複数の支柱４２の少なくとも一部分（複数の支柱４２の前縁４４及び／又は後縁４６を含む）と実質的に同じ軸方向位置に配置される。これらの回転可能な案内羽根及び支柱は１対１の割合で交互に配列することができ、或いは支柱間に２つ以上の回転可能な案内羽根を配置することができると考えられる。更に、第１の実施形態の場合と同様に、１つ以上の封止部品４１が、複数の回転可能な案内羽根５２と内胴３４及び／又は外壁３８との間の界面に配置される。
【００２３】
次に、図１０〜図１２について説明すると、第３の実施形態による流れ操作装置２００が例示されている。第３の実施形態は、上述の排気ディフューザ２６のような軸流排気ディフューザに関連して用いられる。第３の実施形態は、互いから円周方向に隔たっていて且つ同軸に整列する複数の案内羽根２０２を含む。更に、複数の案内羽根２０２は少なくとも１つの軸方向段に配置され、該軸方向段は複数の支柱４２よりも軸方向上流及び／又は下流に設けることができる。
【００２４】
複数の案内羽根２０２の各々は複数の支柱４２と実質的に平行に整列するように配列されるが、これらの案内羽根の各段は円周方向に変位可能な態様で調節可能である。詳しく述べると、複数の案内羽根２０２は、複数の支柱４２とのそれらの整列位置を変更するように「時計式に歩進」される。例えば、第１の位置（図１０）では、複数の案内羽根２０２は複数の支柱４２と円周方向に位置合わせされており、また第２の位置（図１１）では、複数の案内羽根２０２は複数の支柱４２に対して円周方向に位置がずらされている。前に述べたように、第１の位置及び第２の位置はタービン・システム１０の相異なる運転状態において有利である。
【００２５】
前に述べた実施形態の場合と同様に、流れ操作装置２００は、複数の案内羽根２０２の位置を制御する円周方向リング２０６と直接に又は間接的に相互作用する１つ以上のモータのようなアクチュエータ装置２０４によって作動される。
【００２６】
次に、図１３について説明すると、第４の実施形態による流れ操作装置３００が例示されている。第４の実施形態は、上述の第１及び第２の実施形態と多くの点で類似しており、このため、各構成部品の重複した説明は必要ではなく、また同様な参照数字を適用可能な場合は用いる。しかしながら、第１及び第２の実施形態の軸流排気ディフューザとは対照的に、第４の実施形態は半径流排気ディフューザ３０２に用いられる。半径流排気ディフューザ３０２は、蒸気タービン・ディフューザ又はガスタービン・ディフューザのいずれかを構成する。半径流排気ディフューザ３０２は内壁３０４及び外壁３０６を含み、少なくとも１つの支柱３０８が内壁３０４及び外壁３０６の内の少なくとも一方に動作可能に結合される。少なくとも１つの案内羽根３１０が少なくとも１つの支柱３０８に動作可能に結合され、また、回転可能な案内羽根を有する前述の実施形態の場合と同様に、少なくとも１つの案内羽根３１０は、所与の範囲の排気流の状態に対応する所与の範囲の角度位置にわたって回転可能である。更に、少なくとも１つの案内羽根３１０は軸方向及び／又は半径方向に選択的に変位可能である。
【００２７】
以上、本発明を限られた数の実施形態のみに関連して詳しく説明したが、本発明がこのような開示した実施形態に制限されるものではないことが容易に理解されよう。むしろ、本発明は、これまで説明していないが本発明の精神及び範囲に相応する任意の数の変形、変更、置換又は等価な構成を取り入れるように修正することができる。更に、本発明の様々な実施形態を説明したが、本発明の様々な面が説明した実施形態の幾つかのみを含み得ることを理解されたい。従って、本発明は、上記の説明によって制限されるものと考えるべきではなく、「特許請求の範囲」に記載の範囲によって制限される。
【符号の説明】
【００２８】
１０  タービン・システム
１２  圧縮機部分
１４  燃焼器部分
１６  タービン部分
１８  シャフト
２０  燃料ノズル
２２  燃料供給装置
２４  外側ケーシング
２６  排気ディフューザ
２８  入口
３０  排気流
３２  出口
３４  内胴
３６  外面
３８  外壁
４０  内面
４２  支柱
４４  前縁
４６  後縁
５０  流れ操作装置
５２  回転可能な案内羽根
５４  回転可能な部材
５６  アクチュエータ組立体
５８  歯車装置
６０  回転可能な案内羽根群の円周方向セグメント
６２  円周方向リング
６３  軸受
６５  スロット構造
１００  流れ操作装置
２００  流れ操作装置
２０２  案内羽根
３００  流れ操作装置
３０２  半径流排気ディフューザ
３０４  内壁
３０６  外壁
３０８  支柱
３１０  案内羽根
【図１】
2014211159.tif 000003
【図２】
2014211159.tif 000004
【図３】
2014211159.tif 000005
【図４】
2014211159.tif 000006
【図５】
2014211159.tif 000007
【図６】
2014211159.tif 000008
【図７】
2014211159.tif 000009
【図８】
2014211159.tif 000010
【図９】
2014211159.tif 000011
【図１０】
2014211159.tif 000012
【図１１】
2014211159.tif 000013
【図１２】
2014211159.tif 000014
【図１３】
2014211159.tif 000015
【外国語明細書】
2014211159000001.pdf